(57)【要約】患者の組織に外科的に挿入するための医療用インプラント（１００）は、複数の交互になっている隆線（１２）と溝（１０）の形態をした規則正しい微小幾何的表面パターンであって、交互になっている隆線と溝の各々は、約２〜約２５ミクロンの範囲の確立された幅、および約２〜約２５ミクロンの範囲の確立された深さを有し、各々の溝は、基部と２つの対向する側壁とを有する、パターン；ならびに規則正しい微小幾何的表面パターンの上に重ねられる、約０．１〜約４ミクロンの範囲の寸法を有する複数の微小咬合面小窩（３３，３５）の形態をした微小幾何的不規則表面パターンを備える。
2007525280.tif 000002
【特許請求の範囲】
【請求項１】
医療用インプラントであって、
（ａ）複数の交互になっている隆線と溝の形態をした、規則正しい微小幾何的表面パターンであって；該交互になっている隆線と溝の各々は、約２〜約２５ミクロンの範囲の幅、約２〜約２５ミクロンの範囲の深さを有し；該溝の各々は、基部と２つの対向する側壁を有する、規則正しい微小幾何的表面パターン；ならびに
（ｂ）該規則正しい微小幾何的表面パターンの上に重ねられる、約０．１〜約４ミクロンの範囲の寸法を有する複数の微小咬合面小窩の形態をした、微小幾何的不規則パターン、
を備える、医療用インプラント。
【請求項２】
前記複数の微小咬合面小窩の寸法は、前記溝の幅も該溝の深さも超えない、請求項１に記載の医療用インプラント。
【請求項３】
前記複数の微小咬合面小窩は、前記溝の基部と側壁に不規則に分布する、請求項２に記載の医療用インプラント。
【請求項４】
前記複数の微小咬合面小窩は、前記隆線の上面に不規則に分布する、請求項２に記載の医療用インプラント。
【請求項５】
前記溝は、約２〜約２５ミクロンの範囲の実質的に同じ幅、および約２〜約２５ミクロンの範囲の実質的に同じ深さを有する、請求項２に記載の医療用インプラント。
【発明の詳細な説明】
【技術分野】
【０００１】
（発明の分野）
本発明は、歯科用インプラントに関し、特に、インプラントを周囲の骨および軟組織に統合することを促進するための表面テクスチャーを有する歯科用インプラントに関する。
【背景技術】
【０００２】
（発明の背景）
本出願は、特許文献１および特許文献２（これらは、インプラントを周囲の骨に骨統合することを促進するように適合された表面テクスチャーを有する歯科用インプラントに関する）に示される、本発明者らの発明の改良である。
【０００３】
よって、本発明はまた、先行技術（例えば、Ｈａｎｓｓｏｎの特許文献３（１９９６）、標題「Ｆｉｘｔｕｒｅ  Ｆｏｒ  Ｕｓｅ  Ｉｎ  ａ  Ｄｅｎｔａｌ  Ｓｙｓｔｅｍ」；Ｗａｇｎｅｒの特許文献４（１９９９）、標題「Ｄｅｎｔａｌ  Ｉｍｐｌａｎｔ  Ｈａｖｉｎｇ  Ｍｕｌｔｉｐｌｅ  Ｔｅｘｔｕｒｅｄ  Ｓｕｒｆａｃｅｓ」；Ｍｅａｒｓの特許文献５（１９８５）、標題「Ｒｅｇｅｎｅｒａｔｉｏｎ  Ｏｆ  Ｌｉｖｉｎｇ  Ｔｉｓｓｕｅｓ  Ｂｙ  Ｇｒｏｗｔｈ  ｏｆ  Ｉｓｏｌａｔｅｄ  Ｃｅｌｌｓ  Ｉｎ  Ｐｏｒｏｕｓ  Ｉｍｐｌａｎｔｓ」；Ｎａｉｍａｎの特許文献６（１９９７）、標題「Ｓｙｓｔｅｍ  ａｎｄ  Ａｓｓｅｍｂｌａｇｅ  ｆｏｒ  Ｐｒｏｄｕｃｉｎｇ  Ｍｉｃｒｏｔｅｘｔｕｒｉｚｅｄ  Ｓｕｂｓｔｒａｔｅｓ  ａｎｄ  Ｉｍｐｌａｎｔｓ」；Ｃｕｒｔｉｓの特許文献７（１９９８）、標題「Ｗｏｕｎｄ  Ｈｅａｌｉｎｇ  Ｍａｔｅｒｉａｌ」；およびＳｉｎｇｈｖｉの特許文献８（１９９９）、標題「Ｄｅｖｉｃｅ  Ｃｏｎｔａｉｎｉｎｇ  Ｃｙｔｏｐｈｉｌｉｃ  Ｉｓｌａｎｄｓ」；Ｂｒａｎｅｍａｒｋの特許文献９（１９８２）；ならびにＮｉｚｎｉｃｋの特許文献１０（１９９６））に対する改良である。
【０００４】
従来技術において、骨統合を高める不規則微小咬合面小窩、孔、もしくはポッド（ｐｏｄ）の使用、または上記の本発明者らの以前の発明のように、交互になっている隆線と溝の形態をした、規則正しい微小幾何的反復表面パターンの使用に焦点が当てられてきた。本発明者らの以前の特許（例えば、特許文献１の図７を参照のこと）は、規則正しい微小幾何的反復表面パターンを有する不規則な水平表面の使用の可能性を示唆するが、本発明は、それによって、外科用インプラントと、規則正しい微小幾何的反復表面パターンのフレーム枠内にある種々の型の周囲の硬組織および軟組織との間の境界および接触と関連した、不規則または不規則でないプロセスの両方に対処するように達成され得る様式をさらに特定する。
【特許文献１】米国特許第６，４１９，４９１号明細書
【特許文献２】米国特許第６，４５４，５６９号明細書
【特許文献３】米国特許第５，５５８，８３８号明細書
【特許文献４】米国特許第５，９８９，０２７号明細書
【特許文献５】米国特許第４，５５３，２７２号明細書
【特許文献６】米国特許第５，６０７，６０７号明細書
【特許文献７】米国特許第５，８３３，６４１号明細書
【特許文献８】米国特許第５，９７６，８２６号明細書
【特許文献９】米国特許第４，３２０，８９１号明細書
【特許文献１０】米国特許第５，５７１，０１７号明細書
【発明の開示】
【課題を解決するための手段】
【０００５】
（発明の要旨）
外科用インプラント、代表的には、金属製インプラントは、遠位端および近位端を有する長手軸を備える中実細長本体の形態をとり得る。その種々の部分は、このインプラントへの組織統合の促進のために適合された、１つ以上の種々の表面テクスチャーを備え得る。経皮的インプラント（例えば、歯科用インプラント）の場合、中実本体の特定のサブセグメントは、骨の統合に適合するように１つのサブセットとともに提供され得る一方で、別のサブセグメントは、周囲の軟組織との統合に適合される。しかし、１つ以上のこのようなサブセグメントを使用するにあたって、全てが、交互になっている隆線と溝の形態をした規則正しい微小幾何的反復パターンとともに提供される。隆線と溝の各々は、確立されたｘ軸寸法、ｙ軸寸法、およびｚ軸寸法を有する。幅は、約２．０〜約２５ミクロンの範囲の幅である。クレーター様の特性を有する複数の微小咬合面小窩が、この規則正しい反復表面パターンの上に重ね合わせられると、それにより、微小溝内または微小溝の周りに起伏が提供される。このような微小咬合面小窩は、０．１〜約４ミクロンの範囲の表面寸法および深さ寸法を示し、この微小溝の幅を超えない。しかし、このような微小咬合面小窩の大きさは、インプラント表面の交互になっている隆線と溝の主要なパターンを中断（ｄｉｓｒｕｐｔ）または変える（ｄｉｓｔｕｒｂ）には不十分である。このような微小咬合面小窩は、統合されるべき組織の細胞の「ポッド」または吸盤（ｓｕｃｔｉｏｎ−ｃｕｐ）様要素に装着表面を提供する。
【０００６】
よって、本発明の目的は、外科用インプラントのための改良された微小幾何的表面を提供して、そこに付着した細胞コロニーの骨統合を変更および改良することである。
【０００７】
別の目的は、規則正しい微小幾何的表面および不規則な微小幾何的表面の組み合わせ（これらは、特定の細胞型または組織型の増殖に選択的である）を提供する。
【０００８】
本発明のさらなる目的は、インビボでの細胞付着、細胞増殖および細胞移動の方向、ならびに組織機能の増強のために、微小幾何的インプラントのための基礎（ｓｕｂｓｔｒａｔｅ）を提供することである。このような基礎は、第１軸またはｙ軸に沿った細胞増殖を防止し、かつ第２軸またはｘ軸に沿った細胞増殖を誘導するような寸法および幾何を有する。
【０００９】
なおさらなる目的は、インプラントおよび種々の他の外科用物に適用可能な、反復性微小幾何的表面テクスチャーおよび不規則微小幾何的表面テクスチャーの組み合わせを提供することである。
【００１０】
本発明の上記およびなお他の目的および利点は、本明細書中以降に記載される図面の簡単な説明、発明の詳細な説明、および本明細書に添付した特許請求の範囲から明らかになり得る。
【発明を実施するための最良の形態】
【００１１】
（発明の詳細な説明）
骨組織は、ほぼ全ての成体脊髄動物骨格構造の主な構成要素を構成する剛性の支持組織である。骨組織は、密なまたはスポンジ様（それぞれ、緻密骨および海綿質として公知）いずれかの形態で存在する。代表的な骨細胞の大きさは、約１０，０００ｎｍ、すなわち、１０ミクロン程度である。
【００１２】
骨組織は、無機塩（６５〜７０％）および種々の有機物質（３０〜３５％）の化学混合物からなり、硬くかつ弾性である。その硬さは、少量のフッ化物、硫酸塩および塩化物とともに、無機成分（主に、リン酸カルシウムおよび炭酸カルシウム）に由来する；その弾性は、コラーゲン、弾性細胞性物質、および脂肪のような有機物質に由来する。ハヴァーズ管と呼ばれる内部の管状構造は、神経組織および有機性栄養物を骨に提供する血管を含む。周囲にあるこれらの管は、薄板（層板として公知である）から構成され、通常は、骨髄組織（ｍａｒｒｏｗ  ｔｉｓｓｕｅ）または骨髄組織（ｍｙｅｌｏｉｄ  ｔｉｓｓｕｅ）とよばれる結合組織のネットワークで満たされた腔を含む幾分多孔性の組織である。骨髄は、個人の体重の２〜５％を占め、２つの型の組織からなる。黄色骨髄は、主に、脂肪から構成され、赤色骨髄は、赤血球および白血球ならびに血小板が発生する組織である。上記の構成要素全てを囲んでいる骨の外面部分は、全ての骨組織のうち緻密で最も硬いものであり、次ぎに、これが、骨膜として公知の血管様の多孔性の膜（ｖａｓｃｕｌａｒ，  ｆｉｂｒｏｕｓ  ｍｅｍｂｒａｎｅ）によってほぼ包まれる。
【００１３】
（表面の微小テクスチャー加工）
骨および骨に付着している軟組織に関して、外科用インプラントおよび歯科用インプラントを取り囲む細胞コロニー増殖の速度および方向、ならびに異なる細胞型の増殖は、本発明のインプラントを使用することによって制御されかつもたらされ得ることが分かった。一般に、このようなインプラントは、テクスチャー加工された表面の複数の別個のゾーンを備え、各ゾーンは、異なる反復微小幾何的デザインまたはパターン（これは、その独特のコロニー増殖を発生させるための特定の細胞型に提示されそして露出される）を備える。これらの異なる反復微小幾何的テクスチャー加工表面は、以下を行うようにされる：
（ａ）骨成長の速度を促進し、かつその方向を定め、軟組織の成長を阻止して、インプラント表面を骨組織にしっかりと固定する；
（ｂ）軟組織の成長の速度を促進し、その成長の方向を定めると同時に、骨組織の成長を阻止して、軟組織がインプラント表面と一体化する；および／または
（ｃ）軟組織（特に軟らかい線維組織）の成長を阻止するバリアを作り、それによって、インプラントの骨組織装着表面での軟組織の成長の移動を妨げる。
【００１４】
本発明のインプラントは、市販される適切かつ受容可能な材料（例えば、型どりされ加工されたコバルトとクロムの合金）、種々の等級の市販のチタン、チタン合金、ステンレス鋼合金、熱可塑性樹脂（例えば、ポリエチルエーテルケトン、ポリフェニレンスルフィド）、セラミック、アルミナ、ならびにこれらの組み合わせから提供され得る。
【００１５】
１２ミクロン（μｍ）の溝と隆線とからなる表面は、ＲＴＦ（ラット腱線維芽細胞）細胞コロニー増殖に対するＲＢＭ（ラット骨髄）の比率を増大させて、線維組織増殖より骨細胞増殖を促進することが示された。さらに、この表面は、平坦な表面での細胞の比率の約２倍、骨細胞の特定の方向性をもつ移動を引き起こした。この表面は、軟組織の増殖に対する骨の比を高め、そして、骨の固定が必要とされるインプラント表面の領域に骨の成長を指向するために使用され得る。
【００１６】
線維組織および骨細胞は、概して、表面積について「競合」するので、軟組織コロニー面積に対する骨の比率は、増大し、所定の表面では、表面選択において重要なパラメーターである。この比率は、これらの表面での細胞増殖の相対的な刺激または阻害を示す。理論的には、この比率は、表面でのある細胞型または別の細胞型の増殖について利点を提供するのに重要であり、高い比率は、骨細胞増殖に都合がよく、低い比率は、線維組織増殖に都合がよい。これらの比率に基づいて、２ミクロンのギザギザまたは溝は、骨／軟組織成長において３２．８％の減少を提供した。このことは、軟らかい細胞組織増殖において顕著な利点を提供する。この表面は、線維組織細胞増殖を増大させるために使用され得る；この表面はまた、これらの細胞の増殖の方向性を有意に定めるために使用され得る。４ミクロンのギザギザまたは溝の表面は、類似の比率を提供したが、全体的な増殖速度がより低いことに基づいている。従って、方向が定められていない線維細胞増殖が必要とされる場合、平坦なコントロール表面は、軟組織細胞増殖に対する骨の比率が、約０．６において、ＲＴＦ組織細胞に固有の利点を提供する。この効果は、インビボで観察され、この観察では、滑らかな表面が、同じ組成のテクスチャー加工表面（これは、より少ない線維性被膜形成およびより広範な骨との一体化（ｏｓｔｅｏｉｎｔｅｇｒａｔｉｏｎ）を示す）と比較して、厚い線維組織被膜形成に都合がよいことが示された。
【００１７】
軟組織細胞増殖に対する骨の比率が最高である表面は、１２ミクロンの溝を有する表面である。
【００１８】
図１を参照すると、本発明の規則正しい微小幾何的反復パターンは、複数の交互になっている溝１０と隆線１２の形態をとり得る。ここで各それぞれの隆線と溝は、約２〜約２５ミクロンの幅および約２〜約２５ミクロンの範囲の深さを示す。図１の実施形態において、実質的に等しい幅を有する、共に平行の直線状の隆線と溝の無限の反復パターンは、本発明によって企図されるインプラントまたは基礎の微小テクスチャー加工表面を規定する。好ましい実施形態において、その溝は、実質的に同じ幅および実質的に同じ深さを有する。
【００１９】
図２の実施形態において、交互になっている隆線１４と溝１６が、この隆線と溝の軸に対して横方向軸を基準にすると、ｙ軸方向の幅が増大している表面が示される。従って、組織型の移行または組織密度の勾配が存在する組織の型に関連して、図２の型のテクスチャー加工表面が、使用され得る。
【００２０】
図３において、隆線１８が突出部の形態をとると同時に、溝２０が陥凹部の形態をとる表面パターンが示され、それによって、チェッカーボードの構成を規定する。この構成において、このような隆線と溝は、所定の表面のｘ軸およびｙ軸両方に関して交互になっている。
【００２１】
図４の実施形態は、図３の実施形態とは、その隆線２２が２軸性の直線パターンを形成するという点で異なっている。同様に、図４の実施形態の溝２４は、多くの幾何学的外形をとり得る陥凹部の形状をしているｘ−ｙ行列を規定する。
【００２２】
図５において、円形の陥凹部２６が溝または陥凹部を規定すると同時に、これらの間の領域、すなわち、空間２８が隆線または突出部を規定する、本発明の実施形態を示す。従って、語句「交互になっている隆線と溝」とは、本明細書で使用される場合、種々の微小テクスチャー加工幾何的パターンを包含することが理解され得る。そのパターンにおいて、その隆線と溝とが、互いに対して交互に成っていると同時に、それら自体、チャネル、矩形、平行四辺形、正方形、円形および楕円形を含め、種々の幾何学的外形のうちのいずれか１つを包含し得る。
【００２３】
図６を参照すると、溝３０が表面３２にエッチングされるｘｙ行列を規定するグリッド様配置が示され、その結果、表面３２が、エッチングされた溝３０に関して見られる場合、隆線を含む。
【００２４】
図１〜図６の実施形態から、所定の溝の幅（または直径）が、そのそれぞれの隆線の幅（または直径）に対応する必要は必ずしもないことが理解され得る。ただし、このような幅は、約２〜２５ミクロンという上記の範囲内に入り、深さが約２〜約２５ミクロンの範囲内に入る。これによって、上記の広範な実験全体を通して、本発明の範囲内の微小幾何的反復パターンは、本質的に、細胞コロニーの増殖の優先的な促進のためのガイドを規定する微小テクスチャー加工表面の溝であるので、隆線の幅が、溝の幅に等しいという要件がなくても、顎顔面の骨または組織の細胞コロニーの増殖の速度、配向および方向性の優先的な促進のためのガイドを規定し得ることが決定された。大部分の適用において、所定の表面上の溝の密度を最大にして、それにより、望ましい細胞増殖効果を得ることが望ましい；しかし、臨床環境が異なれば、異なる表面パターンおよび溝の分布の密度を使用することが必然的に決定される。
【００２５】
明瞭にするために、図１〜６は、上記の溝構造を覆う不規則な微小咬合面小窩の下記の使用を示さないことが理解されるべきである。
【００２６】
図７〜図１４の図を参照すると、図１〜図６を参照しながら上記で記載された微小幾何的テクスチャー加工構成と関連して使用され得る概略的断面が示される。言い換えると、図７〜図１４の図は、その表面パターンのｙｚ平面内に規定され得る幾何学的外形の範囲を図示する。示されるように、各溝４は、基部２と２つの対向する側壁３を有する。図７〜図９は、隆線幅ａ、隆線と溝の高さｂ、および溝幅ｃのバリエーションを示す。代表的には、隆線の高さは、溝の深さに等しい。パラメーターｄは、隆線と溝の幅の合計である。図７の最も右側の隆線表面は、ｙ軸表面が、直線的に平坦である必要はなく、すなわち、不規則で、微小小窩があっても、クレーター様であってもよいことを示す。
【００２７】
図７〜図１４において、微小咬合面小窩３３および３５は、各々、０．１〜約４ミクロンの範囲内の寸法を有し、隆線６の上面に、および溝４の基部２の上に示される。本明細書で、微小咬合面小窩の寸法とは、微小咬合面小窩の幅と深さをいう。さらに、微小咬合面小窩３７は、図７〜図９、および図１２〜図１４の側壁の表面に示される。類似の微小咬合面小窩、クレーターまたは孔３７ａは、図１０および図１１に示される幾何学的外形の角度を付けた側壁の上に配置され得る。この微小咬合面小窩は、組織細胞壁の「ポッド」がインプラント表面に付着しやすくする。
【００２８】
図１５〜１９の幾何学的外形において、ｘｙ平面の微小咬合面小窩３３／３５は、点線および破線として示される。よって、微小咬合面小窩が、代表的には、図１〜図１９に示される規則正しい微小溝と隆線の下にあるｘｙ平面の上に実質的に不規則な様式で設けられ得ることが理解されるべきである。
【００２９】
図２０を参照すると、医療用インプラントの上記の表面の処理が歯科適用において適用され得る例が示される。より具体的には、図２０において、バットレススレッドインプラント１００の近位カラーセグメント４６と遠位カラーセグメント４８を有するカラー１２０の拡大図が示される。下顎骨５４、皮質骨１５、および軟組織３８に対しても示される。上記遠位カラーセグメント４８と骨５４との間の骨統合の領域３４、ならびにインプラント１００の遠位領域１０２と骨５４との間の骨統合の領域３６が、図２０においても示される。領域４２において、皮質骨１５と遠位カラーセグメント４８との間の一体化の領域が示される。領域５２は、近位カラーセグメント４６と軟組織（ガム）３８との間の一体化の領域を示す。内側への成長のこれらの領域は、骨の一体化のためには小さい方の寸法の微小幾何的パターンＢを使用することによって、および軟組織シーリングのためには大きい方の寸法のパターンＡを使用することによって可能にされる。このパターンは、交互になっている隆線１２／１４と溝１０／１６（図１、図２および図７〜図１４を参照のこと）の幅と深さとしては、約２．０〜約２５ミクロンの上記の範囲内にあり、不規則な微小咬合面小窩と重ね合わせられる。この領域は、本発明のインプラント表面の規則正しい微小幾何的反復表面パターンと不規則な微小幾何的表面パターンとの組み合わせを規定する。
【００３０】
従って、下顎骨５４、皮質骨１５および組織３８と、カラーセグメント４６および４８と、遠位領域１０２との間の、内側への成長または生体親和性の領域３４、３６、４２および５２は、組織３８と皮質骨１５との間の界面４０の領域４２のまわり、すなわち、インプラントカラーが上記骨の中に入る点での組織の有利なシールを達成することが理解されるべきである。よって、二重の親和性インプラントカラーが、本発明に従って、骨４２の、インプラントカラー１２０に対するシールを効率的に促進する。このようにシールすると、インプラント歯科学の先行技術において長年にわたる問題であったいわゆる吸角効果（ｃｕｐｐｉｎｇ  ｅｆｆｅｃｔ）が、排除される。
【００３１】
上記の表面パターンは、約２．０〜約２５ミクロンの範囲の寸法を有する、規則正しい微小幾何的な交互になっている隆線と溝と、約０．１〜約４ミクロンの範囲の寸法を有する実質的に不規則な微小咬合面小窩のオーバーレイとの組み合わせを含み、以下が挙げられるが、これらに限定されない多くの手段のうちのいずれか１つによってもたらされ得ることがさらに理解されるべきである：
レーザー切断、酸エッチング、フォトリソグラフィー、摩擦／荒面仕上げ、プラズマ溶射、およびこれらの組み合わせ。
【００３２】
カラーの近位セグメント  対  遠位セグメントの軸長の比率に関しては、このような軸長が必ずしも等しい必要はなく、その結果、近位セグメント  対  遠位セグメントの軸長の範囲が、約１：４〜約４：１の間に入り得、これは、約１〜約３ミリメートルの間の合わせた軸長内であることが見出された。
【００３３】
図２１〜２２を参照すると、拡大した近位セグメント２０４を有するインプラント２００（本発明者らの米国特許第６，４０６，２９６号（これは、本明細書にその全体が参考として援用される）において教示される）が示される。これに対して、上記の表面パターンが適用され得る。このようなインプラントはまた、カラー２０２、固定ヘッド（ｔｉｇｈｔｅｎｉｎｇ  ｈｅａｄ）２０８、この固定ヘッド中の係合手段２１０、およびそのテーパー状の遠位部分２０６を備える。図２０を参照しながら記載される上記の様式と同様に、組織の内側への成長およびシールを促進するために、１つの表面パターンＣが、カラー２０２に適用され得ると同時に、別の表面パターンＤが、上記の拡大した近位セグメント２０４に適用され得る。それによって、拡大した近位部分２０４と微小幾何的表面パターンＣおよびＤとの両方が、インプラントの部位での骨統合を高めるように相互作用する。
【００３４】
図２３は、図２４の型のバットレススレッド型歯科用インプラントの拡大図である。これには、規則正しい微小幾何的表面が設けられている。図２５は、図２０のカラー部分を３４０倍で拡大したものであるが、不連続な溝３０と隆線３２のパターンを示し、先に、図６で記載されている。図２６は、図２５のカラーのさらなる拡大図を構成する電子顕微鏡写真である。図２７は、図２４のインプラントのスレッド型構造上の表面パターンの電子顕微鏡写真である。この写真において、その溝は、図２５の不連続な隆線と溝セグメントとは対照的に、連続的である。図２８は、図２４に示されるインプラントのカラーの１２００倍の電子顕微鏡写真拡大図である。全ての図面において、そこに示されている小さな長手方向の溝は、このインプラントの微小幾何的表面の一部ではなく、レーザー関連溶融を示す。
【００３５】
また、全ての顕微鏡写真には、図７〜１９を参照しながら上記で記載されている、微小咬合面小窩（ポッド）３３、３５および３７が示される。
【００３６】
図２９には、本発明のさらなる実施形態が示される。この実施形態では、溝１１０と隆線１１２が、平行であるが、曲線を規定している。
【００３７】
本発明の好ましい実施形態を示し、記載してきたが、本発明が、本明細書に具体的に示され、記載されるもの以外を具現化し得、かつこの実施形態内で、特定の変更が、本明細書に添付される特許請求の範囲に示されるように、本発明の根底にある理念からも本質からも逸脱することなく、一部の形態および配置においてなされ得ることが理解されるべきである。
【図面の簡単な説明】
【００３８】
【図１】図１は、約７５０倍で示したｘｙ平面の平面概略図である。この図は、平行な隆線と溝とを有する規則正しい微小幾何的表面パターンを示す。隆線と溝の各々は、本発明によれば、ほぼ等しい幅を有する。
【図２】図２は、図１と同様であるが、その隆線と溝の連続するｙ軸幅が、表面パターンのｙ軸方向に沿って変動する図である。
【図３】図３は、各軸に沿って交互になっている陥凹部および突出部から形成される双軸のｘ−ｙ行列を規定する、規則正しい微小幾何的表面パターンの平面概略図である。
【図４】図４は、図３と同様であるが、その全ての陥凹部および突出部が互いに同一線上にあるパターンを示す平面図である。
【図５】図５は、図４と同様に、全ての隆線がｘ−ｙ断面で円形である平面図である。
【図６】図６は、図３〜図５と同様に、そのパターンの溝が、その表面パターンとしてｘｙグリッドを規定する図である。
【図７】図７〜図１４は、図１〜図６のパターンのｙｚ平面の断面図である。これらの図は、ｙｚ平面幾何のバリエーション、すなわち、図１〜図６に示されるｘｙ平面パターンのうちの１つ以上に適応可能な溝と隆線との関係を示す。複数の微小咬合面小窩は、溝の基部と側壁、隆線の上面に不規則に分布する。
【図８】図７〜図１４は、図１〜図６のパターンのｙｚ平面の断面図である。これらの図は、ｙｚ平面幾何のバリエーション、すなわち、図１〜図６に示されるｘｙ平面パターンのうちの１つ以上に適応可能な溝と隆線との関係を示す。複数の微小咬合面小窩は、溝の基部と側壁、隆線の上面に不規則に分布する。
【図９】図７〜図１４は、図１〜図６のパターンのｙｚ平面の断面図である。これらの図は、ｙｚ平面幾何のバリエーション、すなわち、図１〜図６に示されるｘｙ平面パターンのうちの１つ以上に適応可能な溝と隆線との関係を示す。複数の微小咬合面小窩は、溝の基部と側壁、隆線の上面に不規則に分布する。
【図１０】図７〜図１４は、図１〜図６のパターンのｙｚ平面の断面図である。これらの図は、ｙｚ平面幾何のバリエーション、すなわち、図１〜図６に示されるｘｙ平面パターンのうちの１つ以上に適応可能な溝と隆線との関係を示す。複数の微小咬合面小窩は、溝の基部と側壁、隆線の上面に不規則に分布する。
【図１１】図７〜図１４は、図１〜図６のパターンのｙｚ平面の断面図である。これらの図は、ｙｚ平面幾何のバリエーション、すなわち、図１〜図６に示されるｘｙ平面パターンのうちの１つ以上に適応可能な溝と隆線との関係を示す。複数の微小咬合面小窩は、溝の基部と側壁、隆線の上面に不規則に分布する。
【図１２】図７〜図１４は、図１〜図６のパターンのｙｚ平面の断面図である。これらの図は、ｙｚ平面幾何のバリエーション、すなわち、図１〜図６に示されるｘｙ平面パターンのうちの１つ以上に適応可能な溝と隆線との関係を示す。複数の微小咬合面小窩は、溝の基部と側壁、隆線の上面に不規則に分布する。
【図１３】図７〜図１４は、図１〜図６のパターンのｙｚ平面の断面図である。これらの図は、ｙｚ平面幾何のバリエーション、すなわち、図１〜図６に示されるｘｙ平面パターンのうちの１つ以上に適応可能な溝と隆線との関係を示す。複数の微小咬合面小窩は、溝の基部と側壁、隆線の上面に不規則に分布する。
【図１４】図７〜図１４は、図１〜図６のパターンのｙｚ平面の断面図である。これらの図は、ｙｚ平面幾何のバリエーション、すなわち、図１〜図６に示されるｘｙ平面パターンのうちの１つ以上に適応可能な溝と隆線との関係を示す。複数の微小咬合面小窩は、溝の基部と側壁、隆線の上面に不規則に分布する。
【図１５】図１５〜図１９は、ｘｙ平面の表面パターンをさらに示し、それぞれ、放射状パターン、同心円状パターン、扇状で放射状パターン、放射状で同心状パターン、および放射状で交差する極性パターンを含む。
【図１６】図１５〜図１９は、ｘｙ平面の表面パターンをさらに示し、それぞれ、放射状パターン、同心円状パターン、扇状で放射状パターン、放射状で同心状パターン、および放射状で交差する極性パターンを含む。
【図１７】図１５〜図１９は、ｘｙ平面の表面パターンをさらに示し、それぞれ、放射状パターン、同心円状パターン、扇状で放射状パターン、放射状で同心状パターン、および放射状で交差する極性パターンを含む。
【図１８】図１５〜図１９は、ｘｙ平面の表面パターンをさらに示し、それぞれ、放射状パターン、同心円状パターン、扇状で放射状パターン、放射状で同心状パターン、および放射状で交差する極性パターンを含む。
【図１９】図１５〜図１９は、ｘｙ平面の表面パターンをさらに示し、それぞれ、放射状パターン、同心円状パターン、扇状で放射状パターン、放射状で同心状パターン、および放射状で交差する極性パターンを含む。
【図２０】図２０は、約６００倍で歯科用インプラントのカラーおよび近位部分ならびにこれと関連した組織の内側への成長（ｉｎｇｒｏｗｔｈ）を示す、自然位での模式図である。
【図２１】図２１および図２２は、本発明の微小幾何的表面パターンが使用され得る別の型のインプラントの拡大図である。
【図２２】図２１および図２２は、本発明の微小幾何的表面パターンが使用され得る別の型のインプラントの拡大図である。
【図２３】図２３は、約３０００倍で微小幾何的構造を示す、図２０の型のバットレススレッド型（ｂｕｔｔｒｅｓｓ  ｔｈｒｅａｄ  ｔｙｐｅ）歯科用インプラントの電子顕微鏡写真である。
【図２４】図２４は、図２０のインプラントのカラー部分の約３４０倍の拡大である。
【図２５】図２５は、上記の図３、６および１９に示されるパターンに対応する、不連続の隆線と溝の使用を示す、約３０００倍での電子顕微鏡写真である。
【図２６】図２６は、以下の図２７および図２８の図の約３４００倍での電子顕微鏡写真である。
【図２７】図２７は、図２０および図２４（ここでこれらの溝は、連続的である）に示されるインプラントのカラー上の表面パターンＡまたはＢに関する約３０００倍での電子顕微鏡写真である。
【図２８】図２８は、図２０および図２４に示されるインプラントのカラーの１２００倍での電子顕微鏡写真である。
【図２９】図２９は、上記の図１〜２のパターンのさらなる実施形態を示す、約７５０倍でのｘｙ平面である。
【図１】
2007525280.tif 000003
【図２】
2007525280.tif 000004
【図３】
2007525280.tif 000005
【図４】
2007525280.tif 000006
【図５】
2007525280.tif 000007
【図６】
2007525280.tif 000008
【図７】
2007525280.tif 000009
【図８】
2007525280.tif 000010
【図９】
2007525280.tif 000011
【図１０】
2007525280.tif 000012
【図１１】
2007525280.tif 000013
【図１２】
2007525280.tif 000014
【図１３】
2007525280.tif 000015
【図１４】
2007525280.tif 000016
【図１５】
2007525280.tif 000017
【図１６】
2007525280.tif 000018
【図１７】
2007525280.tif 000019
【図１８】
2007525280.tif 000020
【図１９】
2007525280.tif 000021
【図２０】
2007525280.tif 000022
【図２１】
2007525280.tif 000023
【図２２】
2007525280.tif 000024
【図２３】
2007525280.tif 000025
【図２４】
2007525280.tif 000026
【図２５】
2007525280.tif 000027
【図２６】
2007525280.tif 000028
【図２７】
2007525280.tif 000029
【図２８】
2007525280.tif 000030
【図２９】
2007525280.tif 000031
【国際調査報告】
2007525280.tif 000032
2007525280.tif 000033